(57)【要約】携帯電話において、プライバシーモードＯＮで使用されるユーザ辞書とプライバシーモードＯＦＦで使用されるユーザ辞書を別々に持ち、それぞれがプライバシーモードのＯＮ／ＯＦＦに連動して自動的に切り替わるようにするとともに、プライバシーモードＯＮの状態からは、プライバシーモードＯＦＦで使用するユーザ辞書を参照しないようにすることで、プライバシーモードＯＦＦ時の情報を漏洩しないようにする。
2004109541.tif 000002
【特許請求の範囲】
【請求項１】
携帯情報機器に設けられ、ユーザ辞書を用いて、入力された所定のデータを他の所定のデータに変換する携帯情報機器の入力データ変換装置であって、
プライバシーを保護するモードであるプライバシーモードと、該プライバシーモードを解除したモードである非プライバシーモードとを切換えるモード切換部と、
前記モード切換部による前記プライバシーモードへの切換え動作に基づいて使用可能とされる第１のユーザ辞書と、
前記モード切換部による前記非プライバシーモードへの切換え動作に基づいて使用可能とされる第２のユーザ辞書と
を備えてなる携帯情報機器の入力データ変換装置。
【請求項２】
携帯情報機器に設けられ、ユーザ辞書を用いて、入力された所定のデータを他の所定のデータに変換する携帯情報機器の入力データ変換装置であって、
プライバシーを保護するモードであるプライバシーモードと、該プライバシーモードを解除したモードである非プライバシーモードとを切換えるモード切換部と、
前記プライバシーモードにおいて前記ユーザ辞書により変換可能な第１データと、前記非プライバシーモードにおいて前記ユーザ辞書により変換可能な第２データとを区別可能に前記ユーザ辞書に登録するための辞書登録部と、
前記モード切換え部により切換えられた動作モードに従って、前記ユーザ辞書に登録された前記第１データと前記第２データとのいずれかを選択する辞書データ選択部と
を備えてなる携帯情報機器の入力データ変換装置。
【請求項３】
請求の範囲第２項に記載の携帯情報機器の入力データ変換装置において、
前記辞書登録部は、前記プライバシーモードにおいて前記ユーザ辞書に登録されるデータを前記第１データとし、前記非プライバシーモードにおいて前記ユーザ辞書に登録されるデータを第３データとして前記ユーザ辞書に登録し、
前記辞書データ選択部は、前記非プライバシーモードにおいては、前記第１データと前記第３データとを前記第２データとすることを特徴とする携帯情報機器の入力データ変換装置。
【請求項４】
請求の範囲第２項に記載の携帯情報機器の入力データ変換装置において、
前記辞書登録部は、前記プライバシーモードにおいて前記ユーザ辞書に登録されるデータを前記第１データとし、前記非プライバシーモードにおいて前記ユーザ辞書に登録されるデータを前記第２データとして前記ユーザ辞書に登録することを特徴とする携帯情報機器の入力データ変換装置。
【請求項５】
請求の範囲第１項に記載の携帯情報機器の入力データ変換装置において、
前記入力データ変換装置は、かな漢字変換装置であることを特徴とする携帯情報機器の入力データ変換装置。
【請求項６】
ユーザ辞書を用いて、入力された所定のデータを他の所定のデータに変換する機能を有する携帯情報機器であって、
プライバシーを保護するモードであるプライバシーモードと、該プライバシーモードを解除したモードである非プライバシーモードとを切換えるモード切換部と、
前記モード切換部による前記プライバシーモードへの切換え動作に基づいて使用可能とされる第１のユーザ辞書と、
前記モード切換部による前記非プライバシーモードへの切換え動作に基づいて使用可能とされる第２のユーザ辞書と
を備えてなる携帯情報機器。
【請求項７】
ユーザ辞書を用いて、入力された所定のデータを他の所定のデータに変換する機能を有する携帯情報機器であって、
プライバシーを保護するモードであるプライバシーモードと、該プライバシーモードを解除したモードである非プライバシーモードとを切換えるモード切換部と、
前記プライバシーモードにおいて前記ユーザ辞書により変換可能な第１データと、前記非プライバシーモードにおいて前記ユーザ辞書により変換可能な第２データとを区別して前記ユーザ辞書に登録するための辞書登録部と、
前記モード切換え部により切換え設定された動作モードに従って、前記ユーザ辞書に登録された前記第１データと前記第２データとのいずれかを選択使用する辞書データ選択部と
を備えてなる携帯情報機器。
【請求項８】
携帯情報機器に設けられ、ユーザ辞書を用いて、入力された所定のデータを他の所定のデータに変換する携帯情報機器における入力データ変換装置の制御プログラムであって、
データ変換指示に基づいて、プライバシーを保護するモードであるプライバシーモードと、該プライバシーモードを解除したモードである非プライバシーモードとのいずれが選択設定されているかを判定するモード判定ステップと、
前記モード判定ステップにより、前記プライバシーモードが選択設定されていると判定された場合には、前記プライバシーモードにおいて使用可能とされている第１のユーザ辞書を使用してデータ変換を行う一方、前記モード判定ステップにより、前記非プライバシーモードが選択設定されていると判定された場合には、前記非プライバシーモードにおいて使用可能とされている第２のユーザ辞書を使用してデータ変換を行うデータ変換ステップと
をコンピュータに実行させる携帯情報機器における入力データ変換装置の制御プログラム。
【請求項９】
携帯情報機器に設けられ、ユーザ辞書を用いて、入力された所定のデータを他の所定のデータに変換する携帯情報機器における入力データ変換装置の制御プログラムであって、
データ変換指示に基づいて、プライバシーを保護するモードであるプライバシーモードと、該プライバシーモードを解除したモードである非プライバシーモードとのいずれが選択設定されているかを判定するモード判定ステップと、
前記モード判定ステップにおいて前記プライバシーモードが選択設定されていると判定された場合には、前記ユーザ辞書にプライバシーモードにおいて使用可能とされて登録されている第１データを選択してデータ変換を行う一方、前記モード判定ステップにおいて前記非プライバシーモードが選択設定されていると判定された場合には、前記ユーザ辞書に非プライバシーモードにおいて使用可能とされて登録されている第２データを選択してデータ変換を行うデータ変換ステップと
をコンピュータに実行させる携帯情報機器における入力データ変換装置の制御プログラム。
【請求項１０】
請求の範囲第９項に記載の携帯情報機器における入力データ変換装置の制御プログラムにおいて、
辞書登録指示に基づいて、プライバシーを保護するモードであるプライバシーモードと、該プライバシーモードを解除したモードである非プライバシーモードとのいずれが選択設定されているかを判定するモード判定ステップと、
前記モード判定ステップにおいて前記プライバシーモードが選択設定されていると判定された場合には、登録データを前記第１データとして登録する一方、前記非プライバシーモードが選択設定されていると判定された場合には、登録データを第３データとして登録し、前記第１データと前記第３データとで前記第２データを構成する辞書登録ステップと
をコンピュータに実行させる携帯情報機器における入力データ変換装置の制御プログラム。
【請求項１１】
携帯情報機器に設けられ、ユーザ辞書を用いて、入力された所定のデータを他の所定のデータに変換する携帯情報機器における入力データ変換装置の制御プログラムであって、
モード設定指示に基づいて、プライバシーを保護するモードであるプライバシーモードと、該プライバシーモードを解除したモードである非プライバシーモードとのいずれかを設定するモード設定ステップと、
データ変換指示に基づいて、前記プライバシーモードを設定している場合には、前記プライバシーモードにおいて使用可能とされる第１のユーザ辞書を使用してデータ変換を行う一方、前記非プライバシーモードを設定している場合には、前記非プライバシーモードにおいて使用可能とされる第２のユーザ辞書を使用してデータ変換を行うデータ変換ステップと
をコンピュータに実行させる携帯情報機器における入力データ変換装置の制御プログラム。
【発明の詳細な説明】
【技術分野】  本発明は、携帯情報機器に設けられ、ユーザ辞書を用いて、入力された所定のデータを他の所定のデータに変換する携帯情報機器の入力データ変換装置、それを備えた携帯情報機器、及び携帯情報機器における入力データ変換装置の制御プログラムに関するものである。なお、携帯情報機器には、例えば携帯電話機、ＰＨＳ（Ｐｅｒｓｏｎａｌ  Ｈａｎｄｙ−ｐｈｏｎｅ  Ｓｙｓｔｅｍ）やノート型パーソナルコンピュータ（略してパソコン）、ＰＤＡ（Ｐｅｒｓｏｎａｌ  Ｄｉｇｉｔａｌ  Ａｓｓｉｓｔａｎｔ）、デジタルカメラ、デジタルビデオカメラ等が例としてあげられる。
【背景技術】  入力データ変換装置の一例として、仮名漢字変換方式の文章処理装置が知られている（例えば特許文献１参照）。この文章処理装置は、普通名詞や動詞等を収容した一般辞書と、姓名や地名等を収容した固有名詞辞書とを備え、これらを適宜使い分けて文章を構成するようにしたもので、特にその辞書の切換え動作を簡単化させることを目的として提供されている。
ところで、近年、携帯電話やＰＤＡ等の携帯情報機器が普及し、特に、最近の携帯電話には、他人に貸し出す場合などを想定して、電話帳や着信履歴などの個人情報を見られないようにする機能（プライバシーを保護する機能）を搭載しているものがある。
このような携帯電話等においては、プライバシーを保護するモードにすると、例えば、アドレス帳機能やスケジュール帳機能などの個人情報に関する機能が一時的に使用不可とされ、個人情報の漏洩が防止される。
【特許文献１】  特開昭５９−１１１５１８号公報
しかし、従来の携帯電話等では、プライバシーが保護されるモードの状態であっても、複数の機能にわたって使用される可能性のある入力データ変換機能（かな漢字変換機能又は入力予測変換機能）自体は、使用不可にはされず、結果としてプライバシーを保護するモード如何に関わらず、同じユーザ辞書を使用してかな漢字変換が行われる。ユーザ辞書に蓄えられる情報は、本来、個人情報として保護されるべき情報なのであるが、従来の技術では、プライバシーが保護されるべきモードの状態（例えば携帯電話が持ち主以外の者に貸し出された場合において、持ち主の蓄積データをその漏洩から保護すべき状態）からでも、プライバシーが保護されなくても良いモードの状態（例えば携帯電話の持ち主により使用されている状態）で蓄積された情報が利用可能であり、この場合は個人情報が漏洩するという問題がある。
例えば、最近の携帯電話に搭載されている入力データ変換機能では、入力された一文が学習され、その先頭文字が入力されると、学習された一文全体が候補として参照できるものもある。このような機種では、「ら」と入力しただけで、「来週の土曜日９時に会いましょう。」という候補が参照できてしまうケースも十分考えられる。
なお、他の従来技術として、ユーザ辞書に蓄積された情報を初期化するようにした技術が知られている。この技術によれば、過去に蓄積された情報が漏洩することを防ぐことができるものの、初期化することにより、それまでの蓄積によって変換効率の上がったユーザ辞書を二度と利用できなくなり、使用勝手が悪くなるという問題がある。
本発明は、上述した問題点を解決するためになされたものであり、ユーザ辞書を使い分けることによりプライバシーの保護を図ることができ、且つ使い勝手にも優れる携帯情報機器の入力データ変換装置、携帯情報機器、携帯情報機器における入力データ変換装置の制御プログラムを提供することを目的とする。
【発明の開示】
上述した課題を解決するため、本発明は、携帯情報機器に設けられ、ユーザ辞書を用いて、入力された所定のデータを他の所定のデータに変換する携帯情報機器の入力データ変換装置であって、プライバシーを保護するモードであるプライバシーモードと、該プライバシーモードを解除したモードである非プライバシーモードとを切換えるモード切換部と、前記モード切換部による前記プライバシーモードへの切換え動作に基づいて使用可能とされる第１のユーザ辞書と、前記モード切換部による前記非プライバシーモードへの切換え動作に基づいて使用可能とされる第２のユーザ辞書とを備えてなるものである。
また、本発明は、携帯情報機器に設けられ、ユーザ辞書を用いて、入力された所定のデータを他の所定のデータに変換する携帯情報機器の入力データ変換装置であって、プライバシーを保護するモードであるプライバシーモードと、該プライバシーモードを解除したモードである非プライバシーモードとを切換えるモード切換部と、前記プライバシーモードにおいて前記ユーザ辞書により変換可能な第１データと、前記非プライバシーモードにおいて前記ユーザ辞書により変換可能な第２データとを区別可能に前記ユーザ辞書に登録するための辞書登録部と、前記モード切換え部により切換えられた動作モードに従って、前記ユーザ辞書に登録された前記第１データと前記第２データとのいずれかを選択する辞書データ選択部とを備えてなるものである。
ここで、前記辞書登録部は、前記プライバシーモードにおいて前記ユーザ辞書に登録されるデータを前記第１データとし、前記非プライバシーモードにおいて前記ユーザ辞書に登録されるデータを第３データとして前記ユーザ辞書に登録し、前記辞書データ選択部は、前記非プライバシーモードにおいては、前記第１データと前記第３データとを前記第２データとすることを特徴とすることができる。
また、前記辞書登録部は、前記プライバシーモードにおいて前記ユーザ辞書に登録されるデータを前記第１データとし、前記非プライバシーモードにおいて前記ユーザ辞書に登録されるデータを前記第２データとして前記ユーザ辞書に登録することを特徴とすることもできる。
なお、本発明の携帯情報機器の入力データ変換装置において、前記入力データ変換装置は、かな漢字変換装置であることを特徴とする。
また、本発明は、ユーザ辞書を用いて、入力された所定のデータを他の所定のデータに変換する機能を有する携帯情報機器であって、プライバシーを保護するモードであるプライバシーモードと、該プライバシーモードを解除したモードである非プライバシーモードとを切換えるモード切換部と、前記モード切換部による前記プライバシーモードへの切換え動作に基づいて使用可能とされる第１のユーザ辞書と、前記モード切換部による前記非プライバシーモードへの切換え動作に基づいて使用可能とされる第２のユーザ辞書とを備えてなるものである。
また、本発明は、ユーザ辞書を用いて、入力された所定のデータを他の所定のデータに変換する機能を有する携帯情報機器であって、プライバシーを保護するモードであるプライバシーモードと、該プライバシーモードを解除したモードである非プライバシーモードとを切換えるモード切換部と、前記プライバシーモードにおいて前記ユーザ辞書により変換可能な第１データと、前記非プライバシーモードにおいて前記ユーザ辞書により変換可能な第２データとを区別して前記ユーザ辞書に登録するための辞書登録部と、前記モード切換え部により切換え設定された動作モードに従って、前記ユーザ辞書に登録された前記第１データと前記第２データとのいずれかを選択使用する辞書データ選択部とを備えてなるものである。
また、本発明は、携帯情報機器に設けられ、ユーザ辞書を用いて、入力された所定のデータを他の所定のデータに変換する携帯情報機器における入力データ変換装置の制御プログラムであって、データ変換指示に基づいて、プライバシーを保護するモードであるプライバシーモードと、該プライバシーモードを解除したモードである非プライバシーモードとのいずれが選択設定されているかを判定するモード判定ステップと、前記モード判定ステップにより、前記プライバシーモードが選択設定されていると判定された場合には、前記プライバシーモードにおいて使用可能とされている第１のユーザ辞書を使用してデータ変換を行う一方、前記モード判定ステップにより、前記非プライバシーモードが選択設定されていると判定された場合には、前記非プライバシーモードにおいて使用可能とされている第２のユーザ辞書を使用してデータ変換を行うデータ変換ステップとをコンピュータに実行させるものである。
また、本発明として、携帯情報機器に設けられ、ユーザ辞書を用いて、入力された所定のデータを他の所定のデータに変換する携帯情報機器における入力データ変換装置の制御プログラムであって、データ変換指示に基づいて、プライバシーを保護するモードであるプライバシーモードと、該プライバシーモードを解除したモードである非プライバシーモードとのいずれが選択設定されているかを判定するモード判定ステップと、前記モード判定ステップにおいて前記プライバシーモードが選択設定されていると判定された場合には、前記ユーザ辞書にプライバシーモードにおいて使用可能とされて登録されている第１データを選択してデータ変換を行う一方、前記モード判定ステップにおいて前記非プライバシーモードが選択設定されていると判定された場合には、前記ユーザ辞書に非プライバシーモードにおいて使用可能とされて登録されている第２データを選択してデータ変換を行うデータ変換ステップとをコンピュータに実行させるプログラムを提供することもできる。
ここでは、さらに、辞書登録指示に基づいて、プライバシーを保護するモードであるプライバシーモードと、該プライバシーモードを解除したモードである非プライバシーモードとのいずれが選択設定されているかを判定するモード判定ステップと、前記モード判定ステップにおいて前記プライバシーモードが選択設定されていると判定された場合には、登録データを前記第１データとして登録する一方、前記非プライバシーモードが選択設定されていると判定された場合には、登録データを第３データとして登録し、前記第１データと前記第３データとで前記第２データを構成する辞書登録ステップとをコンピュータに実行させることもできる。
また、本発明として、携帯情報機器に設けられ、ユーザ辞書を用いて、入力された所定のデータを他の所定のデータに変換する携帯情報機器における入力データ変換装置の制御プログラムであって、モード設定指示に基づいて、プライバシーを保護するモードであるプライバシーモードと、該プライバシーモードを解除したモードである非プライバシーモードとのいずれかを設定するモード設定ステップと、データ変換指示に基づいて、前記プライバシーモードを設定している場合には、前記プライバシーモードにおいて使用可能とされる第１のユーザ辞書を使用してデータ変換を行う一方、前記非プライバシーモードを設定している場合には、前記非プライバシーモードにおいて使用可能とされる第２のユーザ辞書を使用してデータ変換を行うデータ変換ステップとをコンピュータに実行させるプログラムを提供することもできる。
そして、以上のような構成によれば、プライバシーモードを設定するだけで、ユーザ辞書に蓄えられた情報を、機密にすべき個人情報として扱うことを可能とし、情報の漏洩を防ぐことができ、また、機密にすべき個人情報を消去することもないので、使い勝手にも優れる。
【図面の簡単な説明】第１図は、本発明の実施の形態１における携帯電話の構成を示すブロック図である。
第２図は、入力データ変換装置としての「かな漢字変換装置」の内部構成およびそれに使用されるユーザ辞書の構成の概要を示す図である。
第３図は、ユーザ辞書切り換え処理のフローチャートである。
第４図は、プライバシーモードへの切り換える様子を示すプライバシーモード設定画面を示す図である。
第５図は、本発明を日本語版で使用する場合に辞書内のデータを示すイメージ図であり、第５図（ａ）はプライバシーモードＯＦＦで使用される辞書１１Ｂの辞書内のデータを示すイメージ図である。第５図（ｂ）は、プライバシーモードＯＮで使用される辞書１１Ａの辞書内のデータを示すイメージ図である。
第６図は、本発明を英語版で使用する場合に辞書内のデータを示すイメージ図であり、第６図（ａ）はプライバシーモードＯＦＦで使用される辞書１１Ｂの辞書内データを示すイメージ図である。第６図（ｂ）は、プライバシーモードＯＮで使用される辞書１１Ａの辞書内データのイメージ図である。
第７図は、入力データ変換装置としてのかな漢字変換装置の構成を示すブロック図である。
第８図は、第７図に示される候補フィルタ処理部において、候補をユーザ辞書に格納する処理を示すフローチャートである。
第９図は、候補フィルタ処理部において、ユーザ辞書から候補を取得する処理のフローチャートである。
第１０図は、格納（登録）されたユーザ辞書内のデータを示すイメージ図である。
【発明を実施するための最良の形態】  以下、本発明の実施の形態を図面を用いて説明する。
なお、本明細書では、プライバシーを保護する機能を動作させて、例えば他人に自己の辞書データを使用できないようにした状態（本明細書でプライバシーモードと言い、例えば携帯電話の持ち主以外の者が使用する場合で、該持ち主が登録している辞書データを使用できないようにするモード）を“プライバシーモードＯＮ”、それに対して、自己が使用する通常の使用状態（本明細書で非プライバシーモードと言い、例えば携帯電話の持ち主が使用する場合で、該持ち主が登録している辞書を使用できるようにするモード）の状態を“プライバシーモードＯＦＦ”と表記する。また、以降でユーザ辞書と表記する場合は、本発明の入力データ変換装置に使用される辞書を意味し、特に断りがない限り、一般的なかな漢字変換で使用するユーザ辞書、および先頭数文字が入力された時点で以降の入力を予測して変換を行う入力予測変換辞書等、所謂かな漢字変換装置で学習や登録に使用される辞書の全てを含むものとする。
実施の形態１．
実施の形態１は、携帯電話において、プライバシーモードＯＮで使用されるユーザ辞書とプライバシーモードＯＦＦで使用されるユーザ辞書を別々に持ち、それぞれがプライバシーモードのＯＮ／ＯＦＦに連動して自動的に切り替わるようにする。プライバシーモードＯＮの状態からは、プライバシーモードＯＦＦで使用されるユーザ辞書を参照しないようにすることで、プライバシーモードＯＦＦ時の情報が漏洩しないようにしている。尚、実施の形態１では、プライバシーモードＯＦＦで使用する場合は、プライバシーモードＯＮで使用されるユーザ辞書を参照できてもよい。
第１図は本発明の実施の形態１における携帯電話の構成を示すブロック図、第２図は入力データ変換装置としての「かな漢字変換装置」の内部構成およびそれに使用されるユーザ辞書の構成の概要を示している。第３図はユーザ辞書切り換え処理を示すフローチャートである。
実施の形態１の携帯電話は、携帯電話システム全体のシステム制御部１と、アンテナ２が接続され、ＲＦ部３を有し電話制御を行う電話制御部４と、スピーカ５，ディスプレイ６，キーボード７，マイク８と、これらの入出力制御を行う入出力制御部９と、かな漢字変換部（データ変換部）１０と、辞書１１とを備えている。ここで、本発明の入力データ変換装置は、かな漢字変換部１０と辞書１１とからなるかな漢字変換装置１２により構成されている。
第１図の構成において、ユーザがキーボード７を使用すると、入出力制御部９を経由してキーコードがシステム制御部１に通知される。システム制御部１は、通知されたキーコードをかな漢字変換部１０に渡して変換結果を得る。
第２図に示すかな漢字変換装置は、かな漢字変換装置全体を制御する全体制御部１５と、かな漢字変換ロジック部１６と、辞書ロード部１７と、ユーザ辞書切り換え処理部１８と、基本辞書１９と、プライバシーモードＯＮ用ユーザ辞書（第１のユーザ辞書）１１Ａと、プライバシーモードＯＦＦ用ユーザ辞書（第２のユーザ辞書）１１Ｂとを備えている。
全体制御部１５は、システム制御部１から通知されたキーコードを、かな漢字変換ロジック部１６に渡し、変換処理を行う。また、かな漢字変換ロジック部１６は、全体制御部１５を通じて辞書ロード部１７にアクセスし、変換で使用する辞書を取得する。また、辞書ロード部１７は、基本辞書１９をオープン／ロードすると共に、ユーザ辞書切り換え処理部１８を通じて、使用すべきユーザ辞書１１Ａ又は１１Ｂのオープン／ロードを行う。
ユーザ辞書切り換え処理部１８は、第３図に示すフローチャートに従って、ユーザ辞書のオープン処理を行う。このユーザ辞書のオープン処理動作では、まず、ユーザ辞書のオープンに先立って、現在のプライバシーモードＯＮ／ＯＦＦの状態を取得し（ステップＳ１）、プライバシーモードＯＮの場合（ステップＳ２，ＹＥＳ）は、第１の辞書であるプライバシーモードＯＮ用ユーザ辞書をオープンし所定データのハンドル取得を試みる（ステップＳ３）。取得された場合（ステップＳ４，ＹＥＳ）は、正常終了する（ステップＳ５）が、取得されない場合はエラー終了する（ステップＳ６）。なお、この処理はユーザのキー操作によるかな漢字変換指示に基づいて行われる。
ステップＳ２において、プライバシーモードＯＦＦの場合（ステップＳ２，ＮＯ）は、第２の辞書であるプライバシーモードＯＦＦ用ユーザ辞書をオープンし所定データのハンドル取得を試みる（ステップＳ７）。取得された場合（ステップＳ８，ＹＥＳ）は、正常終了する（ステップＳ９）が、取得されない場合はエラー終了する（ステップＳ１０）。
次に、プライバシーモードのＯＮ／ＯＦＦの設定切り換えについて説明する。第４図はプライバシーモードへの切り換えを行う場合に使用されるプライバシーモード設定画面を示す図である。実施の形態におけるプライバシーモードＯＮ／ＯＦＦの切り換えは、携帯電話の設定やメニューに存在する「プライバシーモード設定」を起動して行う。なお、携帯電話のあるキーに「プライバシーモード設定」が割り当てられ、そのキーを押下することにより起動できるようにしても良い。本実施の形態では、第４図に示されるプライバシーモード設定画面がモード切換え手段を構成しており、第４図（ａ）に示されるように、ＯＮ又はＯＦＦのいずれかを選択して（図ではＯＮが選択）、「決定」ボタンを押下すると、第４図（ｂ）の画面が表示され、所定の暗証番号を入力することにより、プライバシーモードへの設定が完了する。
次に、ユーザ辞書の内容を第５図、第６図に例示する。
実施の形態１においては、ユーザ辞書がプライバシーモードＯＮ／ＯＦＦによって使い分けられるそれぞれの辞書１１Ａ，１１Ｂから構成されており、プライバシーモードＯＦＦの状態で学習された結果は、プライバシーモードＯＦＦ用辞書（第２の辞書）１１Ｂに格納され、プライバシーモードＯＮの状態で学習された結果は、プライバシーモードＯＮ用辞書１１Ａに格納される。
第５図（ａ）はプライバシーモードＯＦＦで使用される辞書１１Ｂの辞書内のデータを示すイメージ図である。この辞書によれば、“らい”という読みに対して、“来週の土曜日９時に合いましょう。”、“ライブラリを使用する必要があります。”という２つの候補文が登録されている様子を表す。
第５図（ｂ）は、プライバシーモードＯＮ用辞書１１Ａの辞書内のデータを示すイメージ図である。この辞書によれば、“らい”という読みに対して、“来週の月曜日の午後２時の定例会議について。”という候補文が登録されている様子を表す。この二つの辞書を切り換えて使用し、プライバシーモードに応じた候補文（または候補単語）を取得する。
第６図は、本発明を英語版で使用する場合に辞書内のデータを示すイメージ図である。第６図（ａ）はプライバシーモードＯＦＦで使用される辞書の辞書内データを示すイメージ図である。この辞書によれば、“Ｌｅ”という入力アルファベット文字列に対して、“Ｌｅｔ’ｓ  ｇｏ  ｆｏｒ  ａ  ｄｒｉｖｅ  ｔｏｍｏｒｒｏｗ．”と“Ｌｅｔ’ｓ  ｍｅｅｔ  ａｔ  ｎｉｎｅ  ｏ’ｃｌｏｃｋ  ｏｎ  Ｓａｔｕｒｄａｙ  ｉｎ  ｎｅｘｔ  ｗｅｅｋ．”という二つの候補文が登録されている。
第６図（ｂ）は、プライバシーモードＯＦＦで使用される辞書の辞書内データのイメージ図である。“Ｌｅ”という入力アルファベット文字列に対して、“Ｌｅｔ’ｓ  ｈｏｌｄ  ｔｈｅ  ｒｅｇｕｌａｒ  ｍｅｅｔｉｎｇ  ａｔ  ２：００ＰＭ  ｏｆ  Ｍｏｎｄａｙ  ｉｎ  ｎｅｘｔ  ｗｅｅｋ．”という候補文が登録されている。
実施の形態２．
以下、本発明の実施の形態２について説明する。実施の形態２は、一つのユーザ辞書を用いる代わりに、各モードで登録されるデータを区別し、プライバシーモードＯＮの状態では、そのモード状態で登録された辞書データのみが使用されることで、プライバシーを保護するようにしたものであり、ユーザ辞書に登録／蓄積される単語情報に、登録／蓄積時のプライバシーモードＯＮ／ＯＦＦの状態をフラグとして付加するようする。プライバシーモードＯＮで使用される場合は、プライバシーモードＯＦＦで登録された単語をデータ候補として出力しないようにすることで、プライバシーモードＯＦＦでデータ入力を行ったときの情報が漏洩しないようにしている。尚、実施の形態２では、プライバシーモードＯＦＦで使用する場合は、プライバシーモードＯＮで登録された単語や文もデータ候補として出力される。
第７図は、入力データ変換装置としてのかな漢字変換装置の構成を示すブロック図である。第７図において第２図と同一符号は第２図に示したものと同一、又は相当物を示しており、ここでの説明を省略する。第７図においては、プライバシーモードのＯＮ、ＯＦＦに拘わらず共用される一つのユーザ辞書１１Ｃのみが示されている。
第８図は、第７図に示される候補フィルタ処理部１８Ａにおいて、候補をユーザ辞書１１Ｃに格納する処理を示すフローチャートである。第９図は、候補フィルタ処理部１８Ａにおいて、ユーザ辞書１１Ｃから候補を取得する処理のフローチャートである。以下、これらを用いて実施の形態２の動作について説明する。
ユーザが第１図に示したキーボード７を使用すると、入出力制御部９を経由してキーコードがシステム制御部１に通知される。システム制御部１は、通知されたキーコードをかな漢字変換部１０に渡して変換結果を得る。
第７図のかな漢字変換装置において全体制御部１５は、システム制御部１から通知されたキーコードを、かな漢字変換ロジック部１６に渡し、変換処理を行う。また、かな漢字変換ロジック部１６は、全体制御部１５を通じて辞書ロード部１７にアクセスし、変換で使用する辞書を取得する。辞書ロード部１７がユーザ辞書１１Ｃにアクセスする場合は、候補フィルタ処理部１８Ａを経由して行う。
候補データをユーザ辞書１１Ｃに格納する場合は、候補フィルタ処理部１８Ａによって、現在のプライバシーモードＯＮ／ＯＦＦ状態がフラグとして一緒に格納される（第８図において後述）。
ユーザ辞書から候補データを取得する場合は、候補フィルタ処理部１８Ａによって、現在のプライバシーモードＯＮ／ＯＦＦの状況に応じて、出力してもよい候補データのみが出力される（第９図において後述）。
以下、第８図を用いて候補データを格納する場合の動作について説明する。ユーザのキー操作に基づいて候補データの格納指示（登録指示）があると、まず、プライバシーモードがＯＮ、ＯＦＦのいずれに設定されているかが取得されて（ステップＳ３１）判断される（ステップＳ３２）。プライバシーモードＯＮの場合（ステップＳ３２，ＹＥＳ）は、候補データにプライバシーモードＯＮフラグを設定し（ステップＳ３３）、候補データをユーザ辞書に格納し（ステップＳ３４）、処理を終了する。
プライバシーモードＯＦＦの場合（ステップＳ３２，ＮＯ）は、候補データにプライバシーモードＯＦＦフラグを設定し（ステップＳ３５）、候補データをユーザ辞書に格納し（ステップＳ３４）、処理を終了する。
第１０図は、このように格納（登録）されたユーザ辞書内のデータを示すイメージ図である。実施の形態２では、プライバシーモードのＯＮ／ＯＦＦで同一の辞書を使用するため、辞書に格納されている各候補文字列（データ）に対して、その文字列の学習が行われた時のプライバシーモード状態がフラグとして登録される。第１０図において、第１０図（ａ）は、実施の形態１における第５図（ａ）（ｂ）で示した辞書の内容を実施の形態２に対応させた場合のユーザ辞書の内容を示している。第１０図（ｂ）は、実施の形態２における第６図（ａ）（ｂ）で示した辞書の内容を実施の形態２に対応させた場合のユーザ辞書の内容を示している。
次に、第９図を用いて候補データを読み出す場合の動作について説明する。
ユーザのキー操作によるデータ変換指示に基づいて、まず、読みに対応する全ての候補のリストを取得する（ステップＳ５１）。次に、プライバシーモードＯＮ／ＯＦＦの情報を取得し（ステップＳ５２）、プライバシーモードＯＮ／ＯＦＦが判断される（ステップＳ５３）。そしてプライバシーモードＯＮの場合（ステップＳ５３，ＹＥＳ）は、リスト内にまだ参照していない候補データがあるか否かが判断され（ステップＳ５４）、候補データがある場合（ステップＳ５４，ＹＥＳ）は、候補データのフラグを参照（ステップＳ５５）する。そして、プライバシーモードＯＦＦで登録されている場合（ステップＳ５６，ＹＥＳ）は候補データをリストから削除して（ステップＳ５７）、ステップＳ５４に戻る。候補データが無くなったと判断されると（ステップＳ５４，ＮＯ）、取得された候補データのリストを辞書ロード部１７に返す（ステップＳ５８）。
一方、プライバシーモードＯＮでない場合、即ちプライバシーモードＯＦＦの場合（ステップＳ５３，ＮＯ）の場合は、全ての候補データのリストを辞書ロード部１７に返す。
以上のように、実施の形態２では、プライバシーモードＯＮ／ＯＦＦにおいて辞書登録データに異なるフラグを付して登録し、プライバシーモードＯＮのときには、そのプライバシーモードＯＮにおいて登録された辞書データのみを使用するようにすると共に、プライバシーモードＯＦＦのときは、プライバシーモードＯＮ、ＯＦＦに拘わらず辞書登録された全ての辞書データを使用できるようにして、プライバシーの保護を図っている。実施の形態２では、実施の形態１のように種類の異なるユーザ辞書を二つ備える必要がなく、メモリの有効利用を図り易い。
なお、実施形態２に変えて、プライバシーモードＯＦＦのときにはプライバシーモードＯＦＦの状態で登録された辞書データ（プライバシーモードモードフラグがＯＦＦ）のみを用いて辞書変換するようにしても良い。このような構成によれば、プライバシーモードＯＦＦで使用する例えば携帯電話の持ち主は自己が頻繁に用いる登録辞書データを優先的に用いたデータ変換を行うことができる。
また、上述した実施の形態では、変換指示がある毎にあるいは登録指示がある毎にプライバシーモードＯＮかＯＦＦの判断を行うようにしているが、これらのモードのいずれかが設定されるとそのモードの中で、上記指示を受けるようにすれば、指示毎にモードの判定は行わなくても済む。
更に、実施の形態では、携帯情報機器として携帯電話機に例をとって説明したが、本発明は携帯電話機に限らず、ＰＨＳ、ノート型パソコン、ＰＤＡ、デジタルカメラ、デジタルビデオカメラ等にも適用できることは言うまでもない。
【産業上の利用の可能性】
以上に詳述したように、本発明によれば、プライバシーモードを設定するだけで、ユーザ辞書に蓄えられた情報を、機密にすべき個人情報として扱うことを可能とし、情報の漏洩を防ぐことができ、また、機密にすべき個人情報を消去することもないので、使い勝手にも優れるという効果を奏する。
【図１】
2004109541.tif 000003
【図２】
2004109541.tif 000004
【図３】
2004109541.tif 000005
【図４】
2004109541.tif 000006
【図５】
2004109541.tif 000007
【図６】
2004109541.tif 000008
【図７】
2004109541.tif 000009
【図８】
2004109541.tif 000010
【図９】
2004109541.tif 000011
【図１０】
2004109541.tif 000012
【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
携帯情報機器に設けられ、ユーザ辞書を用いて、入力された所定のデータを他の所定のデータに変換する携帯情報機器の入力データ変換装置であって、
プライバシーを保護するモードであるプライバシーモードと、該プライバシーモードを解除したモードである非プライバシーモードとを切換えるモード切換部と、
前記モード切換部による前記プライバシーモードへの切換え動作に基づいて使用可能とされる第１のユーザ辞書と、
前記モード切換部による前記非プライバシーモードへの切換え動作に基づいて使用可能とされる第２のユーザ辞書と
を備えてなる携帯情報機器の入力データ変換装置。
【請求項２】
携帯情報機器に設けられ、ユーザ辞書を用いて、入力された所定のデータを他の所定のデータに変換する携帯情報機器の入力データ変換装置であって、
プライバシーを保護するモードであるプライバシーモードと、該プライバシーモードを解除したモードである非プライバシーモードとを切換えるモード切換部と、
前記プライバシーモードにおいて前記ユーザ辞書により変換可能な第１データと、前記非プライバシーモードにおいて前記ユーザ辞書により変換可能な第２データとを区別可能に前記ユーザ辞書に登録するための辞書登録部と、
前記モード切換え部により切換えられた動作モードに従って、前記ユーザ辞書に登録された前記第１データと前記第２データとのいずれかを選択する辞書データ選択部と
を備えてなる携帯情報機器の入力データ変換装置。
【請求項３】
ユーザ辞書を用いて、入力された所定のデータを他の所定のデータに変換する機能を有する携帯情報機器であって、
プライバシーを保護するモードであるプライバシーモードと、該プライバシーモードを解除したモードである非プライバシーモードとを切換えるモード切換部と、
前記モード切換部による前記プライバシーモードへの切換え動作に基づいて使用可能とされる第１のユーザ辞書と、
前記モード切換部による前記非プライバシーモードへの切換え動作に基づいて使用可能とされる第２のユーザ辞書と
を備えてなる携帯情報機器。
【請求項４】
ユーザ辞書を用いて、入力された所定のデータを他の所定のデータに変換する機能を有する携帯情報機器であって、
プライバシーを保護するモードであるプライバシーモードと、該プライバシーモードを解除したモードである非プライバシーモードとを切換えるモード切換部と、
前記プライバシーモードにおいて前記ユーザ辞書により変換可能な第１データと、前記非プライバシーモードにおいて前記ユーザ辞書により変換可能な第２データとを区別して前記ユーザ辞書に登録するための辞書登録部と、
前記モード切換え部により切換え設定された動作モードに従って、前記ユーザ辞書に登録された前記第１データと前記第２データとのいずれかを選択使用する辞書データ選択部と
を備えてなる携帯情報機器。
【請求項５】
携帯情報機器に設けられ、ユーザ辞書を用いて、入力された所定のデータを他の所定のデータに変換する携帯情報機器における入力データ変換装置の制御プログラムであって、
データ変換指示に基づいて、プライバシーを保護するモードであるプライバシーモードと、該プライバシーモードを解除したモードである非プライバシーモードとのいずれが選択設定されているかを判定するモード判定ステップと、
前記モード判定ステップにより、前記プライバシーモードが選択設定されていると判定された場合には、前記プライバシーモードにおいて使用可能とされている第１のユーザ辞書を使用してデータ変換を行う一方、前記モード判定ステップにより、前記非プライバシーモードが選択設定されていると判定された場合には、前記非プライバシーモードにおいて使用可能とされている第２のユーザ辞書を使用してデータ変換を行うデータ変換ステップと
をコンピュータに実行させる携帯情報機器における入力データ変換装置の制御プログラム。
【手続補正書】
【提出日】平成17年7月27日(2005.7.27)
【手続補正１】
【補正対象書類名】図面
【補正対象項目名】図１０
【補正方法】変更
【補正の内容】
【図１０】
2004109541.tif 000013
【国際調査報告】
2004109541.tif 000014
2004109541.tif 000015